(57)【特許請求の範囲】
【請求項１】
光ファイバ、前記光ファイバを被覆する外被、及び、前記外被に埋設されたテンションメンバを備えた光ファイバケーブルと、
前記光ファイバケーブルを収納した収納管と、
を備え、
前記光ファイバケーブルは、前記収納管の内壁に沿って螺旋状に収納されている
ことを特徴とする収納型光ケーブル。
【請求項２】
請求項１に記載の収納型光ケーブルであって、
前記光ファイバケーブルは、曲げ変形に対する弾性を有しており、螺旋状に収納されたことにより生じる弾性力によって前記内壁と接触していることを特徴とする収納型光ケーブル。
【請求項３】
請求項１又は２に記載の収納型光ケーブルであって、
前記光ファイバケーブルは、少なくとも２本の前記テンションメンバを有することを特徴とする収納型光ケーブル。
【請求項４】
請求項３に記載の収納型光ケーブルであって、
前記光ファイバケーブルは、前記光ファイバケーブルの螺旋ピッチに応じて捻られていることを特徴とする収納型光ケーブル。
【請求項５】
請求項４に記載の収納型光ケーブルであって、
前記光ファイバケーブルの曲げの中立面から見て一方側が前記内壁と接触するように、前記光ファイバケーブルが捻られていることを特徴とする収納型光ケーブル。
【請求項６】
請求項４又は５に記載の収納型光ケーブルであって、
前記光ファイバケーブルは、複数の光ファイバを有しており、
前記複数の光ファイバは、前記光ファイバケーブルの内部で撚られた状態で配置されている
ことを特徴とする収納型光ケーブル。
【請求項７】
請求項４〜６のいずれかに記載の収納型光ケーブルであって、
前記収納型光ケーブルは、ドラムに巻き付けられており、
前記光ファイバケーブルの前記螺旋ピッチは、前記ドラムの周長よりも短い
ことを特徴とする収納型光ケーブル。
【請求項８】
請求項４〜７のいずれかに記載の収納型光ケーブルであって、
所定方向に捻られて前記収納管に螺旋状に収容されている前記光ファイバケーブルを前記所定方向の逆方向に捻ることによって、前記収納管から前記光ファイバケーブルを取り出し可能であることを特徴とする収納型光ケーブル。
【請求項９】
請求項４〜８のいずれかに記載の収納型光ケーブルであって、
前記光ファイバケーブルの端部は、前記収納管に固定されていることを特徴とする収納型光ケーブル。
【請求項１０】
請求項１〜９のいずれかに記載の収納型光ケーブルであって、
前記内壁に凹凸が形成されていることを特徴とする収納型光ケーブル。
【請求項１１】
光ファイバ、前記光ファイバを被覆する外被、及び、前記外被に埋設されたテンションメンバを備えた光ファイバケーブルと、前記光ファイバケーブルを収納した収納管と、を備え、前記光ファイバケーブルが前記収納管の内壁に沿って螺旋状に収納されている収納型光ケーブルを用意すること、
前記光ファイバケーブルを捻ることによって、前記光ファイバケーブルの螺旋を解くこと、及び、
前記光ファイバケーブルを前記収納管から引き抜くこと
を行う光ファイバケーブルの敷設方法。
【請求項１２】
光ファイバケーブルを巻き回したドラムを用意すること、
前記ドラムの軸方向に沿って前記光ファイバケーブルを前記ドラムから引き出すこと、及び、
前記ドラムから引き出された前記光ファイバケーブルを収納管に挿入することによって、前記収納管の内壁に沿って前記光ファイバケーブルを螺旋状に収納すること
を行う収納型光ケーブルの製造方法。
【請求項１３】
請求項１２に記載の収納型光ケーブルの製造方法であって、
前記ドラムの軸方向に沿って前記光ファイバケーブルを前記ドラムから引き出す際に、前記ドラムを前記軸方向に回転させることを特徴とする収納型光ケーブルの製造方法。
【発明の詳細な説明】
【技術分野】
【０００１】
本発明は、収納型光ケーブル、光ファイバケーブルの敷設方法、及び収納型光ケーブルの製造方法に関する。
【背景技術】
【０００２】
光ファイバケーブルを保護するため、保護管等に光ファイバケーブルを収納することが知られている（特許文献１〜３参照）。
【先行技術文献】
【特許文献】
【０００３】
【特許文献１】特開２００１−８３３３２号公報
【特許文献２】特開２００３−１４００１０号公報
【特許文献３】特開２０１４−１２０４１４号公報
【発明の概要】
【発明が解決しようとする課題】
【０００４】
特許文献１、２記載のケーブルのように、光ファイバケーブルと、光ファイバケーブルを収納する保護管との隙間が大きい場合、光ファイバケーブルと保護管の曲げの中立線の位置が異なることに起因して、光ファイバケーブルを収納した保護管をドラムに巻き付けた状態とドラムから引き出した状態との間で、両者に線長差が生じてしまう。この結果、光ファイバケーブルの敷設時に光ファイバケーブルに力が加わるおそれがあり、光ファイバケーブルが損傷したり、光ファイバケーブルの寿命が低下したりするおそれがある。
【０００５】
特許文献３記載のように介在を配置することによってケーブルを保護管の中央に配置させた場合には、光ファイバケーブルと保護管の曲げの中立線の位置を一致させることが可能であるため、ケーブルと保護管との線長差は抑制される。但し、特許文献３記載の構造では、保護管に介在が入るため、他のケーブルを収納したり、光ファイバケーブルを保護管から取り出したりすることが困難になり、作業性が低下してしまう。
【０００６】
本発明は、光ファイバケーブルと収納管の線長差を抑制できるとともに、敷設作業の容易な収納型光ケーブルを提供することを目的とする。
【課題を解決するための手段】
【０００７】
上記目的を達成するための主たる発明は、光ファイバ、前記光ファイバを被覆する外被、及び、前記外被に埋設されたテンションメンバを備えた光ファイバケーブルと、前記光ファイバケーブルを収納した収納管と、を備え、前記光ファイバケーブルは、前記収納管の内壁に沿って螺旋状に収納されていることを特徴とする収納型光ケーブルである。
【０００８】
本発明の他の特徴については、後述する明細書及び図面の記載により明らかにする。
【発明の効果】
【０００９】
本発明によれば、光ファイバケーブルと収納管の線長差を抑制できるとともに、光ファイバケーブルの敷設時の作業性を向上させることができる。
【図面の簡単な説明】
【００１０】
【図１】図１Ａは、第１実施形態の収納型光ケーブル１の断面図である。図１Ｂは、第１実施形態の収納型光ケーブル１の斜視図である。
【図２】図２は、間欠固定型光ファイバテープ１２の説明図である。
【図３】図３Ａは、第１実施形態の収納型光ケーブル１の各部の断面説明図である。図３Ｂは、第１実施形態の収納型光ケーブル１をドラムに巻いたときの中立線の位置の説明図である。
【図４】図４は、光ファイバケーブル１０を取り出す方法の概要説明図である。
【図５】図５は、収納型光ケーブル１の別の製造方法の説明図である。
【図６】図６は、第２実施形態の収納型光ケーブル１に収納される光ファイバケーブル１０’の断面図である。
【図７】図７Ａは、比較例の収納型光ケーブル１の説明図である。図７Ｂは、比較例の収納型光ケーブル１をドラムに巻いたときの中立線の位置の説明図である。
【発明を実施するための形態】
【００１１】
後述する明細書及び図面の記載から、少なくとも以下の事項が明らかとなる。
【００１２】
光ファイバケーブルと、前記光ファイバケーブルを収納した収納管と、を備え、前記光ファイバケーブルは、前記収納管の内壁に沿って螺旋状に収納されていることを特徴とする収納型光ケーブルが明らかとなる。このような収納型光ケーブルによれば、光ファイバケーブルと収納管の線長差を抑制できるとともに、光ファイバケーブルの敷設時の作業性を向上させることができる。
【００１３】
前記光ファイバケーブルは、曲げ変形に対する弾性を有しており、螺旋状に収納されたことにより生じる弾性力によって前記内壁と接触していることが望ましい。これにより、収納管の内部での光ファイバケーブルの位置が安定する。
【００１４】
前記光ファイバケーブルは、少なくとも２本のテンションメンバを有することが望ましい。これにより、収納管の内部での光ファイバケーブルの位置が特に安定する。
【００１５】
前記光ファイバケーブルは、前記光ファイバケーブルの螺旋ピッチに応じて捻られていることが望ましい。これにより、収納管の内部での光ファイバケーブルの位置が特に安定する。
【００１６】
前記光ファイバケーブルの曲げの中立面から見て一方側が前記内壁と接触するように、前記光ファイバケーブルが捻られていることが望ましい。これにより、光ファイバケーブルの曲げの中立面が内壁と対向する状態になるため、光ファイバケーブルが内壁に向かって広がるように弾性力が働き、収納管の内部での光ファイバケーブルの位置が特に安定する。
【００１７】
前記光ファイバケーブルは、複数の光ファイバを有しており、前記複数の光ファイバは、前記光ファイバケーブルの内部で撚られた状態で配置されていることが望ましい。これにより、光ファイバ間の線長差を抑制できる。
【００１８】
前記収納型光ケーブルは、ドラムに巻き付けられており、前記光ファイバケーブルの前記螺旋ピッチは、前記ドラムの周長よりも短いことが望ましい。これにより、収納型光ケーブルをドラムに１周巻き付ける間に、局所的な線長差を相殺させることができる。
【００１９】
所定方向に捻られて前記収納管に螺旋状に収容されている前記光ファイバケーブルを前記所定方向の逆方向に捻ることによって、前記収納管から前記光ファイバケーブルを取り出し可能であることが望ましい。これにより、光ファイバケーブルの敷設作業が容易になる。
【００２０】
前記光ファイバケーブルの端部は、前記収納管に固定されていることが望ましい。これにより、光ファイバケーブルの捻れや螺旋が解けずに済む。
【００２１】
前記内壁に凹凸が形成されていることが望ましい。これにより、接触面積を減らすことができるため、収納管から光ファイバケーブルを取り出す作業が容易になる。
【００２２】
光ファイバケーブルと、前記光ファイバケーブルを収納した収納管と、を備え、前記光ファイバケーブルが前記収納管の内壁に沿って螺旋状に収納されている収納型光ケーブルを用意すること、前記光ファイバケーブルを捻ることによって、前記光ファイバケーブルの螺旋を解くこと、及び、前記光ファイバケーブルを前記収納管から引き抜くことを行う光ファイバケーブルの敷設方法が明らかとなる。このような敷設方法によれば、収納管の内部に螺旋状に収納された光ファイバケーブルを収納管から容易に引き抜くことができる。
【００２３】
光ファイバケーブルを巻き回したドラムを用意すること、前記ドラムの軸方向に沿って前記光ファイバケーブルを前記ドラムから引き出すこと、及び、前記ドラムから引き出された前記光ファイバケーブルを収納管に挿入することによって、前記収納管の内壁に沿って前記光ファイバケーブルを螺旋状に収納することを行う収納型光ケーブルの製造方法が明らかとなる。このような製造方法によれば、光ファイバケーブルの螺旋ピッチや捻りピッチの調整された収納型光ケーブルを容易に製造できる。
【００２４】
前記ドラムの軸方向に沿って前記光ファイバケーブルを前記ドラムから引き出す際に、前記ドラムを前記軸方向に回転させることが望ましい。これにより、光ファイバケーブルの螺旋ピッチや捻りピッチの調整が容易になる。
【００２５】
＝＝＝第１実施形態＝＝＝
＜比較例＞
図７Ａは、比較例の収納型光ケーブル１の説明図である。図７Ａの上図は、収納型光ケーブル１を側面から見た図（長手方向の垂直方向から見た図）である。図７Ａの下図は、収納型光ケーブル１の断面図である。比較例では、光ファイバケーブル１０が収納管２０の長手方向に沿って直線状に収納されている。
図７Ａの下図に示すように、収納管２０の曲げの中立線は、収納管２０の中心を通る線になる。また、光ファイバケーブル１０の曲げの中立線は、光ファイバケーブル１０の中心を通る線になる。なお、光ファイバケーブル１０に２本のテンションメンバ１５が埋設されている場合には、光ファイバケーブル１０の曲げの中立線は、２本のテンションメンバ１５の中心を結ぶ線になる。図示された通り、収納管２０の内壁２１に接するように光ファイバケーブル１０を配置した場合、収納管２０の曲げの中立線の位置と、光ファイバケーブル１０の曲げの中立線の位置は、異なっている。
【００２６】
図７Ｂは、比較例の収納型光ケーブル１をドラムに巻いたときの中立線の位置の説明図である。比較例の収納型光ケーブル１をドラムに巻き付けると、収納管２０の内部で光ファイバケーブル１０が内側（ドラム側）に寄った状態で巻き付けられ、この結果、光ファイバケーブル１０の曲げの中立線は、収納管２０の曲げの中立線よりも内側（ドラム側）に位置している。また、比較例の収納型光ケーブル１をドラムに巻き付けたときに、収納管２０の内部で光ファイバケーブル１０が外側（ドラムと反対側）に寄った状態で巻き付けられることもある。この場合には、光ファイバケーブル１０の曲げの中立線は、収納管２０の曲げの中立線よりも外側（ドラムと反対側）に位置することになる。
【００２７】
このように、ドラムに巻き付けたときの収納管２０と光ファイバケーブル１０の中立線の位置が異なっていると、ドラムの１周分の収納管２０と光ファイバケーブル１０のそれぞれの長さが異なることになる。例えば図７Ｂに示す状態では、ドラムの１周分の光ファイバケーブル１０の長さは、ドラムの１周分の収納管２０の長さよりも短くなることになる。この結果、ドラムから収納型光ケーブル１を引き出したとき、ドラムから引き出された収納管２０と光ファイバケーブル１０に線長差が生じてしまう。特に図７Ｂに示す状態の収納型光ケーブル１をドラムから引き出したときには、収納管２０の内部へ光ファイバケーブル１０が引き込まれてしまうことになる。この結果、光ファイバケーブル１０に引っ張り力が加わるおそれがあり、光ファイバケーブル１０が損傷したり、光ファイバケーブル１０の寿命が低下したりするおそれがある。
【００２８】
＜構成部材の説明＞
図１Ａは、第１実施形態の収納型光ケーブル１の断面図である。図１Ｂは、第１実施形態の収納型光ケーブル１の斜視図である。
【００２９】
収納型光ケーブル１は、光ファイバケーブル１０と収納管２０とを備えている。光ファイバケーブル１０が収納管２０に収納されているため、光ファイバケーブル１０に側圧などの外力がかかりにくくなっているので、収納型光ケーブル１は、例えば土中に埋設するのに適している。後述するように、本実施形態の収納型光ケーブル１では、光ファイバケーブル１０が収納管２０の内壁２１に沿って螺旋状に収納されている点で比較例（図７Ａ参照）とは異なっている。
【００３０】
光ファイバケーブル１０は、光ファイバ１１を有するケーブルである。なお、光ファイバ１１には光ファイバ心線及び光ファイバ素線が含まれる。第１実施形態の光ファイバケーブル１０では、複数の光ファイバ１１の束が押え巻きテープ１３によって覆われており、その外側が外被１４で被覆されている。外被１４には、テンションメンバ１５が埋設されている。また、外被１４には、リップコード１６も埋設されている。
【００３１】
複数の光ファイバ１１は、ここでは複数枚の間欠固定型の光ファイバテープ１２を集線させることによって形成されている。図２は、間欠固定型光ファイバテープ１２の説明図である。
間欠固定型の光ファイバテープ１２は、複数（ここでは４本）の光ファイバ１１を並列させて間欠的に連結した光ファイバテープ１２である。隣接する２心の光ファイバ１１は、連結部１２Ａによって連結されている。隣接する２心の光ファイバ１１間には、複数の連結部１２Ａが長手方向に間欠的に配置されている。また、間欠固定型光ファイバテープ１２の複数の連結部１２Ａは、長手方向及びテープ幅方向に２次元的に間欠的に配置されている。隣接する２心の光ファイバ１１間の連結部１２Ａ以外の領域は、非連結部１２Ｂになっている。非連結部１２Ｂでは、隣接する２心の光ファイバ１１同士は拘束されていない。これにより、間欠固定型光ファイバテープ１２を丸めて筒状（束状）にしたり、折り畳んだりすることが可能になり、多数の光ファイバ１１を高密度に束ねることが可能になる。
なお、複数の光ファイバ１１は、間欠固定型の光ファイバテープ１２から構成しなくても良い。例えば、間欠固定型の光ファイバテープ１２の代わりに、単心の光ファイバ１１から構成してもよい。
【００３２】
押え巻きテープ１３は、複数の光ファイバ１１を包む部材である。押え巻きテープ１３には、ポリイミドテープ、ポリエステルテープ、ポリプロピレンテープ、ポリエチレンテープ等が使用される。この他、押え巻きテープ１３として不織布を利用することができる。この場合、不織布は、ポリイミド、ポリエステル、ポリプロピレン、ポリエチレン等をテープ状に形成したものが使用される。なお、不織布は、吸水パウダー等を付着・塗布させたものや、そのための表面加工を施したものであっても良い。押え巻きテープ１３は、不織布にポリエステルフィルム等のフィルムを貼り合わせたものでも良い。
【００３３】
外被１４は、光ファイバ１１（及び押え巻きテープ１３）を被覆する部材である。外被１４の材料としては、例えばポリ塩化ビニル（ＰＶＣ）、ポリエチレン（ＰＥ）、ナイロン（商標登録）、フッ化エチレン又はポリプロピレン（ＰＰ）等の樹脂が使用可能である。また、外被１４の材料として、例えば水酸化マグネシウム、水酸化アルミニウムのような水和金属化合物を難燃剤として含有するポリオレフィンコンパウンドも使用可能である。
【００３４】
テンションメンバ１５は、外被１４の収縮に抗い、外被１４の収縮により光ファイバ１１に印加される歪みや曲げを抑制する部材（抗張力体）である。テンションメンバ１５は、線状の部材であり、光ファイバケーブル１０の長手方向に沿うように、外被１４の内部に埋設されている。テンションメンバ１５の材料としては、ノンメタリック材料やメタリック材料が使用可能である。ノンメタリック材料としては、例えばガラスＦＲＰ（ＧＦＲＰ）、ケブラー（登録商標）により強化したアラミド繊維強化プラスチック（ＫＦＲＰ）、ポリエチレン繊維により強化したポリエチレン繊維強化プラスチックなどの繊維強化プラスチック（ＦＲＰ）が使用可能である。メタリック材料としては、鋼線などの金属線が使用可能である。
なお、本実施形態の収納型光ケーブル１は電線ケーブルとともに地中に埋設させることがあり、このように光ファイバケーブル１０が電線ケーブルに近接して敷設される場合には、電磁誘導等の影響を考慮して、テンションメンバ１５がノンメタリック材料であることが望ましい。本実施形態では、テンションメンバ１５として、ガラスＦＲＰ（ＧＦＲＰ）が用いられている。
【００３５】
本実施形態では、光ファイバケーブル１０は、２本のテンションメンバ１５を有する。２本のテンションメンバ１５は、光ファイバ１１の収容されている収容部を挟むように両側に１本ずつ配置されている。
【００３６】
テンションメンバ１５は、他の構成要素と比べて高い弾性率を有する部材である。このようなテンションメンバ１５が外被１４に埋設されているため、光ファイバケーブル１０は、曲げ変形に対する弾性を有することになる。本実施形態のように光ファイバケーブル１０が２本のテンションメンバ１５を有する場合、光ファイバケーブル１０は、特定の方向に曲がりやすく、それ以外の方向には曲がりにくくなる（２本のテンションメンバ１５の並ぶ方向に関する光ファイバケーブル１０の断面二次モーメントと、それ以外の方向に関する光ファイバケーブル１０の断面二次モーメントとが異なる）。言い換えると、光ファイバケーブル１０の曲げ変形に対する弾性的性質は、２本のテンションメンバ１５の幅の細長い板バネのような弾性的性質になる。このため、光ファイバケーブル１０が２本のテンションメンバ１５を有する場合、光ファイバケーブル１０の曲げの中立線（中立面）は、２本のテンションメンバ１５の中心を結ぶ線になる。
【００３７】
リップコード１６は、外被１４の引き裂きに用いられる紐（引き裂き紐）である。作業者は、リップコード１６を引っ張ることによって、外被１４を引き裂き、外被１４を剥ぎ、光ファイバケーブル１０内の光ファイバ１１を取り出すことが可能である。リップコード１６は、光ファイバ１１の収容されている収容部の周囲に縦添えされており、外被１４に埋設されているか、若しくは外被１４と押え巻きテープ１３との間に配置されている。リップコード１６は、例えばポリエステル、ポリイミド、アラミドなどの繊維、繊維の集合体若しくは繊維に樹脂を含浸させたものが使用可能である。但し、光ファイバケーブル１０がリップコード１６を有していなくても良い。
【００３８】
収納管２０は、光ファイバケーブル１０を収納する管である。収納管２０に光ファイバケーブル１０を収納することによって、収納型光ケーブル１を例えば土中に埋設した際に光ファイバケーブル１０に側圧がかかることを抑制できる。収納管２０は中空円筒状であり、内側に収納空間が形成されている。収納管２０の内径は、光ファイバケーブル１０の外径よりも大きい。例えば、本実施形態では、光ファイバケーブル１０の外径が８〜１５ｍｍであるのに対し、収納管２０の内径は３０ｍｍである。収納管２０の内壁２１と光ファイバケーブル１０の外被１４との間には隙間が形成されている。収納管２０は、ドラムに巻き付け可能な程度の弾性を有する。
【００３９】
収納管２０の内壁２１には、凹凸が形成されていることが望ましい。これにより、収納管２０の内壁２１と光ファイバケーブル１０との接触面積を減らすことができるため、収納管２０から光ファイバケーブル１０を取り出す作業が容易になる。本実施形態では収納管２０として波形壁面を有するコルゲート管が用いられているが、図面の簡略化のため凹凸は不図示としている。なお、収納管２０の内壁２１に凹凸が形成されていなくても良い。
【００４０】
＜光ファイバケーブル１０の配置＞
図３Ａは、第１実施形態の収納型光ケーブル１の各部の断面説明図である。上図は収納型光ケーブル１を側面から見た図であり、下図は上図の各部の断面図である。図３Ａの下図には、各断面における光ファイバケーブル１０の配置が示されている。図３Ｂは、第１実施形態の収納型光ケーブル１をドラムに巻いたときの中立線の位置の説明図である。
【００４１】
本実施形態の収納型光ケーブル１では、図３Ａに示すように、光ファイバケーブル１０が収納管２０の内壁２１に沿って螺旋状に収納されている。これにより、図３Ｂに示すように、収納型光ケーブル１をドラムに巻き付けたとき、光ファイバケーブル１０の曲げの中立線の平均は、収納管２０の曲げの中立線の位置とほぼ同じ位置になる。本実施形態では、収納型光ケーブル１をドラムに巻き付けたときの収納管２０と光ファイバケーブル１０の中立線の位置がほぼ一致するため、ドラムの１周分における収納管２０と光ファイバケーブル１０との線長差を抑制できる。したがって、本実施形態では、図３Ｂに示す状態の収納型光ケーブル１をドラムから引き出しても、収納管２０と光ファイバケーブル１０との線長差を抑制できる。
【００４２】
図３Ａの下図に示すように、光ファイバケーブル１０は、収納管２０の内壁２１と接触する。これは、光ファイバケーブル１０のテンションメンバ１５の弾性力によって、螺旋状に曲げられた光ファイバケーブル１０が外側に広がろうとするためである。このように光ファイバケーブル１０が曲げ変形に対する弾性を有していれば、光ファイバケーブル１０が、螺旋状に収納されたことにより生じる弾性力によって収納管２０の内壁２１と接触する。これにより、光ファイバケーブル１０と収納管２０の内壁２１とを接着剤等によって接合しなくても、収納管２０の内部での光ファイバケーブル１０の位置が安定する（光ファイバケーブル１０が収納管２０から引き抜かれ難い状態になる）。また、光ファイバケーブル１０と収納管２０の内壁２１とを接着剤等によって接合しなくて済むため、後述するように収納管２０から光ファイバケーブル１０を取り出すときに作業が容易になる。
【００４３】
また、本実施形態の光ファイバケーブル１０は２本のテンションメンバ１５を有している。このため、光ファイバケーブル１０は、２本のテンションメンバ１５の幅の細長い板バネのような弾性的性質を有することになる。この場合、螺旋状に曲げられた光ファイバケーブル１０は、螺旋状に曲げられた細長い板バネのように外側に広がろうとする。
【００４４】
このように、２本のテンションメンバ１５によって細長い板バネのような弾性的性質を有する光ファイバケーブル１０を螺旋状に収納管２０に収納するためには、光ファイバケーブル１０は、螺旋ピッチＰ１（図１Ｂ参照）に応じて捻られていることが望ましい。なお、螺旋ピッチとは、光ファイバケーブル１０が内壁２１の周方向に１周分配置されるまでの収納管２０の長手方向の長さである。具体的には、螺旋ピッチＰ１（図１Ｂ参照）ごとに光ファイバケーブル１０が１回転分（３６０度）捻られている。このように光ファイバケーブル１０が螺旋ピッチＰ１に応じて捻られていることによって、光ファイバケーブル１０の曲げの中立面（２本のテンションメンバ１５の中心を結ぶ線）が内壁２１と対向するため（図３Ａの下図参照）、光ファイバケーブル１０が収納管２０の内壁２１に向かって広がるように弾性力が働き、収納管２０の内部での光ファイバケーブル１０の位置が特に安定する。
【００４５】
言い換えると、本実施形態では、螺旋ピッチＰ１（図１Ｂ参照）ごとに光ファイバケーブル１０が１回転分（３６０度）捻られているため、光ファイバケーブル１０の曲げの中立面から見て一方側が、収納管２０の内壁２１と接触するように、光ファイバケーブル１０が捻られている。これにより、細い板バネのような弾性的性質を有する光ファイバケーブル１０の当該板バネ面（光ファイバケーブル１０の曲げの中立面：２本のテンションメンバ１５の中心を結ぶ線）が内壁２１と対向する状態になるため、光ファイバケーブル１０が収納管２０の内壁２１に向かって広がるように弾性力が働き、収納管２０の内部での光ファイバケーブル１０の位置が特に安定する。
【００４６】
光ファイバケーブル１０の曲げの中立面から見て一方側が収納管２０の内壁２１と接触するように光ファイバケーブル１０が捻られている場合、当該一方側が常に外側になるように光ファイバケーブル１０が螺旋状に配置されることになる。光ファイバケーブル１０が複数の光ファイバ１１を有する場合には、特定の光ファイバ１１が他の光ファイバ１１に対して常に外側（若しくは内側）になるように配置されてしまうと、光ファイバ１１間に線長差が生じてしまうことになる。そこで、光ファイバケーブル１０が螺旋ピッチＰ１に応じて捻られている場合には、光ファイバ１１間の線長差を抑制するために、光ファイバケーブル１０に収容されている複数の光ファイバ１１が撚られていることが望ましい。なお、複数の光ファイバ１１は、一方向に撚られていても良いし、ＳＺ状に撚られていても良い。
【００４７】
光ファイバケーブル１０の曲げの中立線は、図３Ｂに示すように、収納管２０の曲げの中立線の内側と外側を交互に行き来することになる。光ファイバケーブル１０の曲げの中立線が収納管２０の曲げの中立線よりも内側の領域では、ドラムに巻き付けられている光ファイバケーブル１０の長さ（収納型光ケーブル１の長手方向の長さ）は、収納管２０よりも短くなる。逆に、光ファイバケーブル１０の曲げの中立線が収納管２０の曲げの中立線よりも外側の領域では、ドラムに巻き付けられている光ファイバケーブル１０の長さ（収納型光ケーブル１の長手方向の長さ）は、収納管２０よりも長くなる。このような局所的な線長差は、収納型光ケーブル１をドラムに１周巻き付ける間にキャンセルさせることが望ましい。そこで、本実施形態では、収納型光ケーブル１をドラムに１周巻き付ける間に光ファイバケーブル１０と収納管２０との線長差をキャンセルさせるために、光ファイバケーブル１０の螺旋ピッチＰ１（図１Ｂ参照）がドラムの周長よりも短くしている。具体的には、本実施形態では、ドラムの直径は６００ｍｍであり、螺旋ピッチＰ１は１メートルであるため、光ファイバケーブル１０の螺旋ピッチＰ１がドラムの周長（約１．８８メートル）よりも短く設定されている。なお、光ファイバケーブル１０と収納管２０の内壁２１との間は接合されていないため、光ファイバケーブル１０が内壁２１に対して若干ずれることが許容されているので、収納型光ケーブル１をドラムに巻き付けるときや、収納型光ケーブル１をドラムから引き出すときに、局所的な線長差を相殺させることが可能になっている。
【００４８】
＜光ファイバケーブル１０の敷設＞
光ファイバケーブル１０の敷設時には、上記の収納型光ケーブル１の収納管２０から光ファイバケーブル１０を取り出すことになる。
【００４９】
図４は、光ファイバケーブル１０を取り出す方法の概要説明図である。既に説明したように、光ファイバケーブル１０が収納管２０に螺旋状に収納されており、螺旋ピッチに応じて光ファイバケーブル１０が所定の方向（捻れ方向）に捻られて配置されている。
【００５０】
光ファイバケーブル１０を取り出すとき、作業者は、収納管２０の内部で捻られて配置されている光ファイバケーブル１０の捻れ方向とは逆方向に光ファイバケーブル１０を捻る。つまり、作業者は、光ファイバケーブル１０の端部を、当該端部よりも奥側の光ファイバケーブル１０の捻れ状態に近づける方向に、光ファイバケーブル１０を捻る。これにより、収納管２０の内部の光ファイバケーブル１０の捻れが解消されるに従って螺旋が解けていき、最終的には、収納管２０の内部で螺旋状に配置されていた光ファイバケーブル１０が直線状になる。直線状になった光ファイバケーブル１０には、収納管２０の内壁２１に向かって広がるような力が働いていないため、作業者は、収納管２０から光ファイバケーブル１０を容易に引き抜くことができる。
【００５１】
既に説明したように、本実施形態では、収納管２０として、波形壁面を有するコルゲート管が用いられている。コルゲート管の内壁２１の凹凸によって、収納管２０の内壁２１と光ファイバケーブル１０との接触面積を減らすことができるため、収納管２０から光ファイバケーブル１０を取り出す作業が容易になる。
特に、コルゲート管は、収納管２０の長手方向に沿って内壁２１の凹凸が交互に配置されているため、光ファイバケーブル１０が直線状になると、光ファイバケーブル１０と接触する内壁２１の凸部と凸部の間に凹部が配置されることになる。このため、収納管２０の長手方向に沿って内壁２１の凹凸が交互に配置されていれば、光ファイバケーブル１０の取出時に確実に収納管２０の内壁２１と光ファイバケーブル１０との接触面積を減らすことができるので有利である。
【００５２】
なお、上記の通り、光ファイバケーブル１０の捻れが解消されると、光ファイバケーブル１０の螺旋が解けることになる。このため、光ファイバケーブル１０を収納管２０の内部で螺旋状に収納し続けたい場合には、光ファイバケーブル１０の捻れが解けてしまうことは望ましくない。そこで、光ファイバケーブル１０の端部は、テープや接着剤などの固定手段によって、収納管２０に対して固定されていると良い。これにより、収納管２０の内部での光ファイバケーブル１０の位置が安定する。光ファイバケーブル１０を取り出すときには、作業者は、光ファイバケーブル１０の端部の固定手段を外してから、上記のように光ファイバケーブル１０の端部を捻ると良い。
【００５３】
＜収納型光ケーブル１の製造方法＞
収納型光ケーブル１の第１の製造方法として、まず所定長さ（例えば１００メートル）の収納管２０を用意し、その収納管２０の内部に光ファイバケーブル１０を挿入して光ファイバケーブル１０を一旦直線状に配置した後、収納管２０の内部の光ファイバケーブル１０を捻ることによって、収納管２０の内部に螺旋状に光ファイバケーブル１０を配置する方法がある。すなわち、図４に示す光ファイバケーブル１０の取り出し方法とは逆の順序で、収納管２０の内部に螺旋状に光ファイバケーブル１０を配置させて収納型光ケーブル１を製造する方法である。
【００５４】
図５は、収納型光ケーブル１の別の製造方法の説明図である。
図中の左側に示すように、予め光ファイバケーブル１０を巻き回した光ファイバケーブル用ドラム３０が用意される。光ファイバケーブル１０の曲げの中立線は２本のテンションメンバ１５の中心を結ぶ線になるため、光ファイバケーブル用ドラム３０に巻き回されている光ファイバケーブル１０のどの断面においても、２本のテンションメンバ１５の並ぶ方向は、円筒形状の光ファイバケーブル用ドラム３０の軸方向になっている。図に示すように、円筒形状の光ファイバケーブル用ドラム３０の軸方向に沿って光ファイバケーブル１０が引き出されると、光ファイバケーブル１０は、捻られて螺旋状に曲げられた状態になる。このように引き出された光ファイバケーブル１０を収納管２０に挿入すれば、収納管２０の内部に螺旋状に光ファイバケーブル１０の配置された収納型光ケーブル１を製造できる。このような製造方法によれば、光ファイバケーブル１０の螺旋ピッチＰ１（及び捻りピッチ）の調整が容易である。また、円筒形状の光ファイバケーブル用ドラム３０を軸方向に回転させつつ、光ファイバケーブル用ドラム３０の軸方向に沿って光ファイバケーブル１０を引き出すことによって、光ファイバケーブル１０の螺旋ピッチＰ１（及び捻りピッチ）を任意に調整することも可能である。
【００５５】
なお、収納管２０に光ファイバケーブル１０を挿入するのではなく、収納管２０を２つの半割部材によって構成し、光ファイバケーブル１０を収容しつつ２つの半割部材を接合することによって、収納型光ケーブル１を製造しても良い。また、長手方向にスリットの入った円筒形状の収納管２０を用意し、スリットから光ファイバケーブル１０を差し込むことによって収納管２０の内部に光ファイバケーブル１０を配置して、収納型光ケーブル１を製造しても良い。
【００５６】
＝＝＝第２実施形態＝＝＝
収納型光ケーブル１の収納管２０に螺旋状に収納される光ファイバケーブルは、第１実施形態の光ファイバケーブル１０に限られるものではない。例えば、光ファイバケーブルは、複数の光ファイバ１１を有していなくても良い。また、光ファイバケーブルは、押え巻きテープ１３やリップコード１６を有していなくても良い。光ファイバケーブルの断面形状は円形状に限られるものではない。
【００５７】
図６は、第２実施形態の収納型光ケーブル１に収納される光ファイバケーブル１０’の断面図である。第２実施形態の光ファイバケーブル１０’は、ドロップケーブル（又はインドアケーブル）であり、１本の光ファイバ１１’と、２本のテンションメンバ１５’と、これらを被覆する外被１４’とを有する。光ファイバケーブル１０’の断面は扁平状である。扁平状の光ファイバケーブル１０’の両面にはノッチ１４’が形成されている。なお、光ファイバケーブル１０’が複数の光ファイバ１１を備えていても良い。また、光ファイバケーブル１０’がドロップケーブルの場合には、支持線が連結された状態であってもよい。
【００５８】
第２実施形態においても、光ファイバケーブル１０’が収納管２０の内壁２１に沿って螺旋状に収納されることによって、収納型光ケーブル１が構成されることになる。これにより、第１実施形態と同様に、収納型光ケーブル１をドラムから引き出しても、収納管２０と光ファイバケーブル１０’との線長差を抑制できる。
【００５９】
また、第２実施形態においても、光ファイバケーブル１０’は、テンションメンバ１５’を有するため曲げ変形に対する弾性を有しており、螺旋状に収納されたことにより生じる弾性力によって内壁２１と接触することになる。このため、第２実施形態においても、収納管２０の内部での光ファイバケーブル１０’の位置が安定する（光ファイバケーブル１０’が収納管２０から引き抜かれ難い状態になる）。
【００６０】
また、第２実施形態においても、光ファイバケーブル１０’は２本のテンションメンバ１５’を有しており、光ファイバケーブル１０’は、特定の方向に曲がりやすく、それ以外の方向には曲がりにくくなる。このため、第２実施形態においても、螺旋状に曲げられた光ファイバケーブル１０’は、螺旋状に曲げられた細長い板バネのように外側に広がろうとするため、収納管２０の内部での光ファイバケーブル１０’の位置が特に安定する。
【００６１】
なお、第２実施形態においても、光ファイバケーブル１０’は、特定の方向に曲がりやすく、それ以外の方向には曲がりにくくなるため、光ファイバケーブル１０’は、螺旋ピッチＰ１に応じて捻られていることが望ましい。
【００６２】
＝＝＝その他の実施形態＝＝＝
上述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６３】
１  収納型光ケーブル、
１０  光ファイバケーブル、
１１  光ファイバ、１２  光ファイバテープ、
１２Ａ  連結部、１２Ｂ  非連結部、
１３  押え巻きテープ、１４  外被、
１５  テンションメンバ、１６  リップコード、
２０  収納管、２１  内壁、
３０  光ファイバケーブル用ドラム
【図１】
0006314162.tif 000002
【図２】
0006314162.tif 000003
【図３】
0006314162.tif 000004
【図４】
0006314162.tif 000005
【図５】
0006314162.tif 000006
【図６】
0006314162.tif 000007
【図７】
0006314162.tif 000008